(57)【要約】【課題】  種類が未知（例えばCDか、DVDか、BDか）の記録媒体に対して傷等による記録媒体の損傷を防止しつつ、確実にかつ簡単に記録媒体の判別を行うことができる記録／再生装置及び媒体判別方法を提供すること。【解決手段】  CD用の光学系２０及びBD用の光学系４０を動作させ、かつ、DVD用の光学系３０は停止させ、焦点誤差信号（FE）と反射光強度信号（SUM）の時間軸上のパターンであるサーボ誤差信号等における強度変化の回数と出現順番から光ディスク媒体１１の種類を判別しているので、簡単にかつ確実に光ディスク媒体１１の種類の判別を行うことができる。【選択図】  図６
2006004528.tif 000002
【特許請求の範囲】
【請求項１】
記録媒体に第１の波長のレーザ光を照射するための第１の光源と、
前記記録媒体に第２の波長のレーザ光を照射するための第２の光源と、
前記第１の光源及び前記第２の光源と前記記録媒体との間に介挿され、前記記録媒体に対して進退自在に設けられた前記第１の光源及び前記第２の光源で共通の対物レンズと、
前記記録媒体を反射したレーザ光を受光するための受光手段と、
前記第１及び第２の光源からレーザ光を照射させつつ前記対物レンズを前記記録媒体に対して前進及び／又は後退させ、前記受光手段により受光された反射光に応じた信号の時間軸上のパターンに基づき前記記録媒体の種類を判別する判別手段と
を具備することを特徴とする記録／再生装置。
【請求項２】
請求項１に記載の記録／再生装置であって、
前記受光手段は、前記第１の光源から照射されたレーザ光に応じた反射光を受光する第１の受光素子と、前記第２の光源から照射されたレーザ光に応じた反射光を受光する第２の受光素子とを具備することを特徴とする記録／再生装置。
【請求項３】
請求項１に記載の記録／再生装置であって、
前記判別手段は、前記反射光に応じたサーボ誤差信号及び／又は再生信号の時間軸上のパターンに基づき前記記録媒体の種類を判別することを特徴とする記録／再生装置。
【請求項４】
請求項１に記載の記録／再生装置であって、
前記記録媒体を保持しつつ回転する手段を有し、
前記判別手段は、前記記録媒体の回転を停止した状態で前記第１及び第２の光源からレーザ光を照射させつつ前記対物レンズを前記記録媒体に対して前進及び／又は後退させることを特徴とする記録／再生装置。
【請求項５】
請求項１に記載の記録／再生装置であって、
前記記録媒体に第１の波長と第２の波長との間の波長の第３の波長のレーザ光を照射するための第３の光源を有し、
前記判別手段は、前記第３の光源のレーザ光の照射を停止しつつ前記記録媒体の種類の判別を行うことを特徴とする記録／再生装置。
【請求項６】
請求項１に記載の記録／再生装置であって、
前記判別手段による判別ができないときには、当該判別動作を複数回繰り返して行うことを特徴とする記録／再生装置。
【請求項７】
記録媒体に第１の波長のレーザ光及び第２の波長のレーザ光の両方を前記第１及び第２の波長のレーザ光で共通して用いる対物レンズを介して照射しつつ前記対物レンズを前記記録媒体に対して前進及び／又は後退し、
前記記録媒体からの反射光を受光し、
前記受光した反射光に応じた信号の時間軸上のパターンに基づき前記記録媒体の種類を判別する
を具備することを特徴とする媒体判別方法。
【請求項８】
請求項７に記載の媒体判別方法であって、
前記反射光に応じた誤差信号及び／又は再生信号の時間軸上のパターンに基づき前記記録媒体の種類を判別することを特徴とする媒体判別方法。
【請求項９】
請求項７に記載の媒体判別方法であって、
回転しつつ記録／再生される前記記録媒体の回転を停止した状態で前記第１及び第２の光源からレーザ光を照射させつつ前記対物レンズを前記記録媒体に対して前進及び／又は後退させることを特徴とする媒体判別方法。
【請求項１０】
請求項７に記載の媒体判別方法であって、
前記記録媒体に対して第１の波長と第２の波長との間の波長の第３の波長のレーザ光を照射することが可能であり、
前記第３の波長のレーザ光の照射を停止しつつ前記記録媒体の種類の判別を行うことを特徴とする媒体判別方法。
【請求項１１】
請求項７に記載の媒体判別方法であって、
前記記録媒体の種類の判別ができないときには、当該判別動作を複数回繰り返して行うことを特徴とする媒体判別方法。
【発明の詳細な説明】
【技術分野】
【０００１】
本発明は、例えばBD（Blu-ray Disc）やDVD（Digital Versatile Disc）、CD(Compact Disc）などの複数種類の記録媒体の記録や再生を行うことができる記録／再生装置及びその媒体判別方法に関する。
【背景技術】
【０００２】
光ディスクに代表される光学的記録媒体の記録密度（媒体当たりの記録容量）を高める目的で、青紫色半導体レーザ（波長：約405nm）と高開口数対物レンズ（開口数：0.85）を用いた光ディスク装置BD（Blu-ray Disc）が提案された。同装置は、DVD（Digital Versatile Disc）装置と比較して、およそ5倍の大容量記録を実現できるものの、レンズ動作距離（Working Distance）が小さくなる一面を有している。
【０００３】
BDは当初、レンズ動作距離0.15mm程度の専用対物レンズを用いる方式で商品化されたが、その後のレンズ設計及び加工技術の進歩、並びに、従来の光ディスク（DVD、CD：Compact Disc）との下位互換性を確保する目的で、同一の対物レンズを共用する方式が提案されている。
【０００４】
例えば、非特許文献１においては、BD/DVD/CD、3つの方式を単一のレンズと波長選択型の開口制限素子で実現する設計例が報告されている。開口制限素子は、光路中に波長選択型フィルターを配置することで、上記各方式によって0.85/0.6/0.45と異なる対物レンズ開口数を実現する役割を果たしている。この例では、BDにおいて0.5mm確保されていた動作距離が、CDにおいて0.21mmにまで減少している。
【０００５】
また、非特許文献２においては、同様の手法を用いて、BD/DVDの2方式を共用する対物レンズを実現しているが、この場合も、BDで0.53mm確保されていたレンズ動作距離がDVDで0.3mmまで減少している。
【０００６】
レンズ開口数と動作距離の基本的な関係を説明する。図１０、BDにおいて、レンズ動作距離（対物レンズ１２上面から光ディスク媒体１１ａ表面までの距離）を0.5mmとした設計例を表し、また図１１は、同レンズをCD（光ディスク媒体１１ｂ）に適用した場合を図示したものである。
【０００７】
単一レンズで複数の開口数を実現する場合、非特許文献１、２にも示されている通り、一般に波長が長い条件でレンズ動作距離が短くなり、この例においては、CDでのレンズ動作距離が0.3mmとなっている。なお、光学素子１３は、開口数を制限する波長選択フィルターに相当し、BDで0.85、CDにおいて0.45の対物レンズ開口数を実現している。
【０００８】
図１０と図１１とを比較して明らかなように、対物レンズ上面から光ディスク媒体信号面までの距離は、図１１の方が明らかに長くなっている。これは、BDにおいて光透過保護層（カバー層）が0.1mmであるのに対して、CDでは1.2mmのカバー層を介して信号の読み取りを行うためである。
【０００９】
ここで、光ディスク記録再生装置に未知のディスク媒体が装填された場合を考える。光ディスク装置においては、通常、光ディスク媒体を回転させた状態で焦点制御引き込み動作が施されるが、図１０に示したBDの設定条件でCDへの引き込み動作を行うと、集光スポットが信号面に到達する以前に対物レンズ１２と光ディスク媒体とが接触してしまう。
【００１０】
大抵の場合、対物レンズ１２側には、光ディスクとの接触に備えて保護材（プロテクター）が付加されているが、接触によって光ディスクを傷つけてしまう可能性は否定できない。特に、既存のCD装置では、対物レンズと接触する可能性が極めて低いため、通常は接触時の保護を目的とした媒体への表面ハードコートは施されていない。このため、光ディスクが損傷し、データの再生や記録ができなくなる、という課題がある。
【００１１】
これに対して、例えば特許文献１には、レーザ光を各光ディスクに各々対応して複数種類出射させ、当該出射された複数種類のレーザ光を光ディスクの記録面に集光投射しつつ焦点深度を変化させ、当該所定の焦点深度に変化した状態における光ディスクの記録面で反射される反射光量に基づいて光ディスクの種類を判別する技術が開示されている。そして、反射光量に基づいて光ディスクの種類を判別するとは、例えばその明細書の段落番号００３１及びその図３に具体的に記載されているように、再生信号Ｒ１〜R4の波形の形状のピークが所定の基準レベルを超えた種類のレーザ光に対応して光ディスクの種類を判別することである。かかる公報に開示された技術では、DVDとCDに対して適用した例が記載されているが、BDについても同様にこの技術を適用することができ、これにより上記の対物レンズと光ディスクとの接触の問題を回避することが可能である。
【非特許文献１】R. Katayama, "Blue/DVD/CD Compatible Optical Head Technologies," Technical Digest of International Symposium on Optical Memory, Nara, pp.216-217（2003）
【非特許文献２】K. Takada, J. Hashimura, Y. Ori, N. Mushiake, "Blu-ray Disc/DVD Compatible Objective Lens Assembly," Technical Digest of International Symposium on Optical Memory, Nara, pp.230-231（2003）
【特許文献１】特開平１１−３２８６８４号公報（特に明細書の段落番号００３１及びその図３）
【発明の開示】
【発明が解決しようとする課題】
【００１２】
しかしながら、上記の特許文献１では、次のような問題がある。
（１）BDでは、再生専用（ROM）ディスクの他、低反射率で記録可能な媒体においても２層ディスクが定義されており、その中間記録層では表面反射と同程度の反射率が許容されている。従って、このような２層ディスクの場合には、フォーカスサーボがかからないことが生じて、特許文献１に記載されたように単純に反射光量を用いて閾値判定する技術では対応できない。
（２）DVDとCDとBDの３種類の光ディスクに対してコンパチブルな記録／再生装置では、DVDとCDとBDの３種類の光学系全てについて反射光量の閾値判定をする必要があるため、処理ステップが複雑化する等の問題がある。
【００１３】
本発明は、この課題に鑑み、種類が未知（例えばCDか、DVDか、BDか）の記録媒体に対して傷等による記録媒体の損傷を防止しつつ、確実にかつ簡単に記録媒体の判別を行うことができる記録／再生装置及び媒体判別方法を提供することを目的としている。
【課題を解決するための手段】
【００１４】
（１）かかる課題を解決するため、本発明に係る記録／再生装置は、記録媒体に第１の波長のレーザ光を照射するための第１の光源と、前記記録媒体に第２の波長のレーザ光を照射するための第２の光源と、前記第１の光源及び前記第２の光源と前記記録媒体との間に介挿され、前記記録媒体に対して進退自在に設けられた前記第１の光源及び前記第２の光源で共通の対物レンズと、前記記録媒体を反射したレーザ光を受光するための受光手段と、前記第１及び第２の光源からレーザ光を照射させつつ前記対物レンズを前記記録媒体に対して前進及び／又は後退させ、前記受光手段により受光された反射光に応じた信号の時間軸上のパターンに基づき前記記録媒体の種類を判別する判別手段とを具備することを特徴とする。
【００１５】
本発明の別の観点に係る媒体判別方法は、記録媒体に第１の波長のレーザ光及び第２の波長のレーザ光の両方を前記第１及び第２の波長のレーザ光で共通して用いる対物レンズを介して照射しつつ前記対物レンズを前記記録媒体に対して前進及び／又は後退し、前記記録媒体からの反射光を受光し、前記受光した反射光に応じた信号の時間軸上のパターンに基づき前記記録媒体の種類を判別することを特徴とする。
【００１６】
ここで、「記録／再生」における「／」は、記録及び再生、再生のみ、記録のみの３つの場合を意味している。
【００１７】
本発明では、第１及び第２の光源からレーザ光を照射させつつ対物レンズを記録媒体に対して前進及び／又は後退させ、受光手段により受光された反射光に応じた信号の時間軸上のパターンに基づき記録媒体の種類を判別しているので、種類が未知（例えばCDか、DVDか、BDか）の記録媒体に対して傷等による記録媒体の損傷を防止できる。
【００１８】
また、たとえ２層ディスクが定義されていても、それが時間軸上のパターンとして現れるので、記録媒体の種類の判別が可能である。更に、３種類以上の記録媒体を記録／再生する装置構成であっても２種のレーザ光の反射光に応じた信号の時間軸上のパターンに基づき記録媒体の種類を判別できる。従って、本発明では、確実にかつ簡単に記録媒体の判別を行うことができる。
（２）本発明では、記録媒体の回転を停止した状態で前記第１及び第２の光源からレーザ光を照射させつつ前記対物レンズを前記記録媒体に対して前進及び／又は後退させることで、より確実に記録媒体の種類の判別が可能となる。
【００１９】
前記記録媒体に第１の波長と第２の波長との間の波長の第３の波長のレーザ光を照射するための第３の光源を有する場合には、前記第３の光源のレーザ光の照射を停止しつつ前記記録媒体の種類の判別を行うことで、記録媒体の損傷を防止しつつ確実に記録媒体の判別を行うことができる。
【００２０】
前記記録媒体の種類の判別ができないときには、当該判別動作を複数回繰り返して行うことで、更に確実に記録媒体の判別を実現することができる。
【発明の効果】
【００２１】
以上のように、本発明によれば、種類が未知の記録媒体に対して傷等による記録媒体の損傷を防止しつつ、確実にかつ簡単に記録媒体の判別を行うことができる
【発明を実施するための最良の形態】
【００２２】
以下、本発明の実施の形態を図面に基づき説明する。
【００２３】
この実施形態では、光透過保護層（カバー層）の厚さが異なる複数種類の光ディスク媒体の一例であるBD/DVD/CDという3種類の光ディスク媒体に対して、同一の対物レンズを介して信号の記録再生を可能とする記録／再生装置を例にして説明する。
【００２４】
図１は本発明の一実施形態に係る記録／再生装置を説明するための図である。  
【００２５】
図１において、１１は記録媒体としてのBD/DVD/CDのうちいずれかの光ディスク媒体を示している。１２は光ディスク媒体１１に対して進退自在に設けられ、波長毎に実効的なレンズ開口数（NA）が異なる特徴を持った対物レンズ、１３は開口数を制限する波長選択フィルターに相当する光学素子、１４は半導体レーザの直線偏光を円偏光に変換する役割を果たす１／４波長板、１５は主としてBDで必要とされる球面収差補正素子を示している。球面収差補正素子１５は、例えば液晶素子により構成することができる。また、この液晶素子（球面収差補正素子１５）は、例えば同心状の電極パターンを有し、各電極への印加電圧に応じて、カバー層の厚さ誤差により生じる球面収差の補正を行う役割を果たす。
【００２６】
また、１６及び１７は合成プリズム、２０、３０、４０はそれぞれCD用、DVD用、BD用の光学系を示している。１８は対物レンズ１１を進退駆動するためのアクチュエータ、１９はCD用、DVD用、BD用の光学系２０、３０、４０からの検出信号に基づきアクチュエータ１８などを制御する制御部（判別手段を含む）を示している。
【００２７】
なお、図中には、波長405nmのBD用の光線（実線）と波長780nmのCD用の光線（点線）を示すが、BDにおいては0.1mmのカバー層を介して光ディスク媒体１３のa 面に、また、CDにおいては1.2mmのカバー層を介してb 面にスポットが集光される。
【００２８】
図２は図１に示したBD用の光学系４０の構成例を示す図である。  
【００２９】
波長405nmの青紫色半導体レーザ４１からの出射光は、コリメータレンズ４２で平行光とされ（無限光学系）、トラック制御誤差信号を生成するために用いられるサイドスポット（±1次回折光）生成用の回折格子４４を通過した後、偏光ビームスプリッタ４５を通過して合成プリズム１７（図１参照）へと導かれる。
【００３０】
出射光の一部は偏光ビームスプリッタ４５によって反射した後、集光レンズ４６により発光出力検出用の受光素子４７へと導かれて、レーザ出力を一定値に制御する目的で用いられる。なお、受光素子４７への入射光量は１／２波長板４３を回転することによって調整が可能であり、実際のレーザ出力は、例えば図示せぬ自動出力制御（APC：Automatic Power Control）回路によって任意の発光出力値に制御される。
【００３１】
一方、光ディスク媒体１１からの反射光は、図１に示した合成プリズム１６、１７を全て通過した後、ビームスプリッタ４５で反射し、検出光路へと導かれる。本実施形態においては、焦点制御誤差信号の一例として非点収差法を、またトラック制御誤差信号の一例として差動プッシュプル法を用いており、集光レンズ４８及びマルチレンズ４９を通った収束光は、サーボ誤差信号兼RF信号検出用受光素子５０へと入射し、光電変換が施される。
【００３２】
図３はこのサーボ誤差信号兼RF信号検出用受光素子５０の構成を示す図である。
【００３３】
サーボ誤差信号兼RF信号検出用受光素子５０は、1つの4分割光検出素子５１と2つの2分割検出素子５２、５３からなり、図２に示した回折格子４４によって3つのビームに分割された照明光のうち、0次光の反射光は4分割光検出素子５１におけるAからDまでの素子によって、また±1次光の反射光は2分割検出素子５２、５３におけるEからHまでの素子によって受光されることとなる。これら各素子の出力に基づいて焦点誤差信号（FE）、並びにトラック誤差信号（TE）が演算される。
【００３４】
図４は図１に示したCD用の光学系２０の構成例を示す図である。  
【００３５】
波長780nmの赤外半導体レーザ２１からの出射光は、トラック制御誤差信号を生成するためのサイドスポット生成用の回折格子２２を通過した後、透過率、反射率をそれぞれ50％とするビームスプリッタ２３を通過して、図１に示した合成プリズム１６へと導かれる。
【００３６】
本実施形態における対物レンズ出射パワーは、例えば半導体レーザのモニター端子から出力される信号に基づいて、図示せぬAPC回路により、任意の出力値に制御される。また、このCD用の光学系２０においては、対物レンズ１２への照明を拡散球面波とする構成をとることで（有限光学系）、光透過保護層の厚み違いによって発生する球面収差の補正を容易にする働きを持つ。
【００３７】
光ディスク媒体１１からの反射光は、図１に示した合成プリズム１６で反射した後、ビームスプリッタ２３で反射した後、検出光路へと導かれる。本実施形態においては、焦点制御誤差信号の一例として非点収差法を、またトラック制御誤差信号の一例として3スポット法を用いており、集光レンズ２４及びマルチレンズ２５を通った収束光は、サーボ誤差信号兼RF信号検出用受光素子２６へと入射し、光電変換が施される。
【００３８】
なお、サーボ誤差信号兼RF信号検出用受光素子２６は、図３と同様の分割素子を有し、各素子の出力に基づいて焦点誤差信号（FE）、並びにトラック誤差信号（TE）が演算される。また、図２に示したBD用の光学系４０と同様、レーザ出力をモニターする発光出力検出用の受光素子を設けることで、信号記録を可能とする光学系を構成することも容易である。
【００３９】
DVD用の光学系３０は、BD用の光学系４０とほぼ同等の構成を有する無限系の光路構成となる。光源には、波長650nmの赤色半導体レーザが用いられ、図３と同様の分割受光素子によって、信号検出が行われる。従って、ここでは、図示及びその説明を省略する。
【００４０】
次に、BD/DVD/CD用の各光学系２０、３０、４０で検出される誤差信号を以下に示す。  
【００４１】
焦点誤差信号（FE）は、それぞれの検出受光素子に対して、式（１）に示す演算を施すことで得られる。例示した非点収差焦点誤差信号においては、マルチレンズ２５、４９によって、受光素子２６、５０上で、図５に示すように、合焦時に円形、それ以外では楕円状の強度分布を示すため、演算結果は、合焦時にゼロレベルとなる出力（通称、S字誤差信号）を発生する。
【００４２】
FE=（A+C）−（B+D）                            （１）
【００４３】
CD用の光学系２０におけるトラック誤差信号として、予め情報ピット列が形成された再生専用ディスクに対しては、回折格子によって生成される2つのサイドスポットの反射光を用い、式（２）の演算を施すことで得られ、この方式は3スポット法と称される。
【００４４】
3TE−CD=（E +F）−（G+H）                      （２）
【００４５】
一方、BD用及びDVD用の光学系３０、４０におけるトラック誤差信号として、予め情報ピット列が形成された再生専用ディスクに対しては、主として位相差法（DPD）が用いられる。この手法は、受光素子AとCの和信号、及びBとDの和信号それぞれの位相差を検出する手法であり、式（３）によって表される。
【００４６】
DPD=φ（A+C）−φ（B+D）                      （３）
【００４７】
また、BD/DVD/CDのいずれの光学系２０、３０、４０においても、予め溝形状が形成された記録可能媒体に対してトラック制御を行う際には、差動プッシュプル検出法（DPP、例えば特開昭６１−９４２４６号公報参照）が用いられる。具体的には、式（４）に示すように、主ビームから検出される主プッシュプル信号から、2つの副ビームによって検出される副プッシュプル信号の和に係数（k）を乗じて減算することにより、誤差信号が演算される。また、再生信号（RF）信号は、式（５）に示すように、A〜Dの各受光素子の和を求めることで検出可能である。
【００４８】
DPP=（A+D）−（B+C）−k・｛（E−F）＋（G−H）｝    （４）
【００４９】
RF=A+B+C+D                                      （５）
【００５０】
次に、本実施形態に係る記録／再生装置に未知のディスク媒体が装填された場合の動作を説明する。図６はその動作を示すフローチャートであり、制御部１９による制御のもとで実行される。
【００５１】
本実施形態に係る記録／再生装置にBD/DVD/CDのうちいずれかの光ディスク媒体１１が装填されると（ステップ６０１）、まずCD用の光学系２０及びBD用の光学系４０を動作させ、かつ、DVD用の光学系３０は停止させる（ステップ６０２）。この状態で、CD用の光学系２０の赤外半導体レーザ２１及びBD用の光学系４０の青紫色半導体レーザ４１からレーザ光が照射され、CD用の光学系２０のサーボ誤差信号兼RF信号検出用受光素子２６から出力される信号及びBD用の光学系４０のサーボ誤差信号兼RF信号検出用受光素子５０から出力される信号が制御部１９へ送られ、制御部１９では当該信号に基づき上記のようにサーボ誤差信号及びRF信号を算出可能となっている。
【００５２】
次に、このような状態から、赤外半導体レーザ２１及び青紫色半導体レーザ４１からレーザ光を照射しつつ対物レンズ１２を光軸方向に進退動作させ、焦点誤差信号（FE）と反射光強度信号（SUM、式（５）で表されるRF信号のサーボ帯域内成分に相当）を求める（ステップ６０３）。そして、これらの時間軸上のパターンを求め（ステップ６０４）、このパターンと予め設定された所定のパターンとの比較により装填された光ディスク媒体１１の種類を判別する（ステップ６０５）。ここで、対物レンズ１２を光軸方向に進退動作とは、例えば対物レンズ１２を光軸方向に上下（Forward、Backward）移動することである。
【００５３】
そして、光ディスク媒体１１の種類を判別されると、その種別に応じた焦点引き込み動作を行い通常の再生動作を行う（ステップ６０６）。
【００５４】
一方、ステップ６０５において、光ディスク媒体１１の種類を判別ができない場合には、上記一連の判別動作を複数回行っている（ステップ６０７）。
【００５５】
そして、一連の判別動作を複数回行っても光ディスク媒体１１の種類を判別ができない場合には、判別動作を終了してディスク媒体を排出し（ステップ６０８）、エラー表示にて通知する処理を行う（ステップ６０９）。これにより、例えばBDを表裏反転して装填した場合、見かけ上のカバー層厚みはCDのそれに近いため、信号の有無を判断することで表裏判定にも兼用が可能である。
【００５６】
ここで、上記「焦点誤差信号（FE）と反射光強度信号（SUM）の時間軸上のパターン」について更に詳しく説明する。
【００５７】
図７はCD用の光学系２０及びBD用の光学系４０の両方を作動させて光ディスク媒体１１の種類の判別動作を施した際、未知の情報記録媒体がCDであった場合に得られる焦点誤差信号（FE）と反射光強度信号（SUM）の時間軸上のパターンを示している。ここで、（a）、（b）はBD用の光学系４０において得られる各信号を、（c）、（d）はCD用の光学系２０において得られる信号を表したものである。時間的にみると、まず、CD用の光学系２０において光透過保護層表面での反射光強度変化が観察され、続いてBD用の光学系４０で同じく表面反射光の強度変化が、最後に、CD用の光学系２０において信号面での反射光強度変化が検出されることとなる。従って、これら「時間軸上のパターン」であるサーボ誤差信号等における強度変化の回数と出現順番から、未知の情報記録媒体はCDと推測されるため、CD用の光学系２０を用いた焦点引き込み動作を行えばよい。
【００５８】
図８はCD用の光学系２０及びBD用の光学系４０の両方を作動させて光ディスク媒体１１の種類の判別動作を施した際、未知の情報記録媒体がBD（情報記録層は単層構造）であった場合に得られる焦点誤差信号（FE）と反射光強度信号（SUM）の時間軸上のパターンを示している。ここで、（a）、（b）はBD用の光学系４０において得られる各信号を、（c）、（d）はCD用の光学系２０において得られる信号を表したものである。この場合、まず、CD用の光学系２０において光透過保護層表面での反射光強度変化、並びに信号面での反射光強度変化が順番に検出され、続いてBD用の光学系４０において光透過保護層表面での反射光強度変化と信号面での反射光強度変化が検出される。従って、これら「時間軸上のパターン」であるサーボ誤差信号等における強度変化の回数と出現順番から、未知の情報記録媒体はBDと推測されるため、BD用の光学系４０を用いた焦点引き込み動作を行えばよい。
【００５９】
図9はCD用の光学系２０及びBD用の光学系４０の両方を作動させて光ディスク媒体１１の種類の判別動作を施した際、未知の情報記録媒体がDVD（情報記録層は単層構造）であった場合に得られる焦点誤差信号（FE）と反射光強度信号（SUM）の時間軸上のパターンを示している。ここで、（a）、（b）はBD用の光学系４０において得られる各信号を、（c）、（d）はCD用の光学系２０において得られる信号を表したものである。この場合、まず、CD用の光学系２０において光透過保護層表面での反射光強度変化、続いて、信号面での反射光強度変化が観察される。その後、BD用の光学系４０において光透過保護層表面での反射光強度変化は検出されるが、集光スポット焦点位置の関係から、BD光学系４０において信号面での強度変化は観察されない。従って、これら「時間軸上のパターン」であるサーボ誤差信号等における強度変化の回数と出現順番から、未知の情報記録媒体はDVDと推測されるため、DVD用の光学系３０を用いた焦点引き込み動作を行えばよい。
【００６０】
なお、BD/DVDに関しては、複数の情報記録層を有するディスク媒体が実現されているが、これらの光ディスク媒体についても同様の手法で焦点誤差信号（FE）と反射光強度信号（SUM）の時間軸上のパターンに基づき媒体判別が可能である。
【００６１】
このように本実施形態に係る記録／再生装置では、CD用の光学系２０及びBD用の光学系４０を動作させ、かつ、DVD用の光学系３０は停止させ、焦点誤差信号（FE）と反射光強度信号（SUM）の時間軸上のパターンであるサーボ誤差信号等における強度変化の回数と出現順番から光ディスク媒体１１の種類を判別しているので、簡単にかつ確実に光ディスク媒体１１の種類の判別を行うことができる。
【００６２】
なお、本発明は勿論上記の実施形態に限定されるものではない。
【００６３】
例えば、上記の実施形態では、焦点誤差信号（FE）と反射光強度信号（SUM）の時間軸上のパターンを得る場合には光ディスク媒体１１を回転させながら行うことを前提としていたが、光ディスク媒体１１の回転を停止させた状態で上記の時間軸上のパターンを得るようにしても構わない。これにより、安定なサーボ誤差信号等を得ることができ、より確実な判別を行うことができる。
【００６４】
また、上記の実施形態では、BD/DVD/CDという3種類の光ディスク媒体に対し、同一の対物レンズを介して信号の記録再生を可能とする光ディスク記録再生装置において、BD用光学系、及びCD用光学系に搭載される2つのレーザ光源を点灯して判別動作を試みる手法を例示したが、３方式全てのレーザ光源を点灯、且つ、3系統の信号検出回路を同時に動作させて判別動作を実施しても構わない。
【００６５】
更に、２種類の光源の組み合わせとして、BDとDVD、或いはDVDとCDなど、他の組み合わせによって同様の判別を行うことが可能である。
【００６６】
また更に、BD/DVD/CDという３種類ではなく、いずれか２つのフォーマットのみに対して光学系を構成し、判別を行う場合や、他の光ディスクフォーマットに対して同一対物レンズの共用を実現する場合にも、同様の手法が適用可能である。
【図面の簡単な説明】
【００６７】
【図１】本発明の一実施形態に係る記録／再生装置を説明するための図である。
【図２】図１に示したBD用の光学系４０の構成例を示す図である。
【図３】図２に示したサーボ誤差信号兼RF信号検出用受光素子５０の構成を示す図である。
【図４】図１に示したCD用の光学系２０の構成例を示す図である。
【図５】非点収差焦点誤差信号においては受光素子上での強度分布を示す図である。
【図６】本実施形態に係る記録／再生装置に未知のディスク媒体が装填された場合の動作を示すフローチャートである。
【図７】未知の情報記録媒体がCDであった場合に得られる焦点誤差信号（FE）と反射光強度信号（SUM）の時間軸上のパターンを示している。
【図８】未知の情報記録媒体がBDであった場合に得られる焦点誤差信号（FE）と反射光強度信号（SUM）の時間軸上のパターンを示している。
【図９】未知の情報記録媒体がDVDであった場合に得られる焦点誤差信号（FE）と反射光強度信号（SUM）の時間軸上のパターンを示している。
【図１０】レンズ開口数と動作距離の基本的な関係を説明するための図である（BDの場合）。
【図１１】レンズ開口数と動作距離の基本的な関係を説明するための図である（ＣＤの場合）。
【符号の説明】
【００６８】
１  光ディスク媒体
１２  対物レンズ
１３  光学素子
１４  １／４波長板
１５  球面収差補正素子
１６、１７  合成プリズム
１８  アクチュエータ
１９  制御部（判別手段を含む。）
２０  CD用の光学系
３０  DVD用の光学系
４０  BD用の光学系
【図１】
2006004528.tif 000003
【図２】
2006004528.tif 000004
【図３】
2006004528.tif 000005
【図４】
2006004528.tif 000006
【図５】
2006004528.tif 000007
【図６】
2006004528.tif 000008
【図７】
2006004528.tif 000009
【図８】
2006004528.tif 000010
【図９】
2006004528.tif 000011
【図１０】
2006004528.tif 000012
【図１１】
2006004528.tif 000013